(57)【要約】【課題】外部へ出力する情報を編集可能な、紙葉類処理システム、紙葉類管理装置、及び紙葉類処理方法を提供する。【解決手段】紙葉類処理システム（紙幣処理システム１）は、紙葉類の処理を行う処理部を備える。システムはまた、処理に関係する情報項目を記憶する記憶部３５と、記憶部が記憶している情報項目を、所定の条件に基づいて編集するよう構成された編集部（制御部３６）と、編集部により編集された情報項目を外部へ出力するよう構成された出力部（通信部３３、接続部３４）と、を備えている。【選択図】図２
2017033070.tif 000002
【特許請求の範囲】
【請求項１】
紙葉類の処理を行うよう構成された処理部と、
前記処理部が行った処理に関係する少なくとも１の情報項目を記憶するよう構成された記憶部と、
前記記憶部が記憶している前記情報項目を、所定の条件に基づいて編集するよう構成された編集部と、
前記編集部により編集された前記情報項目を外部へ出力するよう構成された出力部と、を備えている紙葉類処理システム。
【請求項２】
前記編集部は、前記所定の条件に合致する前記情報項目を、前記出力部が出力するように、前記情報項目を編集する請求項１に記載の紙葉類処理システム。
【請求項３】
前記編集部は、前記所定の条件に合致しない前記情報項目を、前記所定の条件に合致する前記情報項目とは別に、前記出力部が出力するように、前記情報項目を編集する請求項２に記載の紙葉類処理システム。
【請求項４】
前記紙葉類の識別を行うよう構成された識別部をさらに備え、
前記所定の条件は、前記識別部の識別結果に基づく条件である請求項２に記載の紙葉類処理システム。
【請求項５】
前記識別部は、前記紙葉類の記番号を識別し、
前記所定の条件は、前記紙葉類の記番号が特定の記番号であること、であり、
前記編集部は、前記特定の記番号を有する前記紙葉類の前記情報項目を前記出力部が出力するように、前記情報項目を編集する請求項４に記載の紙葉類処理システム。
【請求項６】
前記識別部は、前記紙葉類の正損を識別し、
前記所定の条件は、前記紙葉類が損券であること、であり、
前記編集部は、前記損券の前記情報項目を前記出力部が出力するように、前記情報項目を編集する請求項４に記載の紙葉類処理システム。
【請求項７】
前記識別部は、前記紙葉類の真偽を識別し、
前記所定の条件は、前記紙葉類が偽券であること、であり、
前記編集部は、前記偽券の前記情報項目を前記出力部が出力するように、前記情報項目を編集する請求項４に記載の紙葉類処理システム。
【請求項８】
前記識別部は、前記紙葉類の汚損状態を識別し、
前記所定の条件は、前記紙葉類が特定の汚損状態であること、であり、
前記編集部は、前記特定の汚損状態である前記紙葉類の前記情報項目を前記出力部が出力するように、前記情報項目を編集する請求項４に記載の紙葉類処理システム。
【請求項９】
前記所定の条件は、処理を実行した日時に関係する条件であり、
前記編集部は、特定の日時に処理をした前記紙葉類の前記情報項目を前記出力部が出力するように、前記情報項目を編集する請求項２に記載の紙葉類処理システム。
【請求項１０】
前記所定の条件を設定するよう構成された設定部をさらに備えている請求項１〜９のいずれか１項に記載の紙葉類処理システム。
【請求項１１】
前記編集部は、前記紙葉類の汚損に関係する情報を前記出力部が出力するように、前記情報項目を編集する請求項１に記載の紙葉類処理システム。
【請求項１２】
前記編集部は、処理を実行した日時の情報を前記出力部が出力するように、前記情報項目を編集する請求項１に記載の紙葉類処理システム。
【請求項１３】
前記編集部は、前記紙葉類の処理を行った店舗の情報を前記出力部が出力するように、前記情報項目を編集する請求項１に記載の紙葉類処理システム。
【請求項１４】
前記編集部は、前記紙葉類の処理を行った前記処理部の情報を前記出力部が出力するように、前記情報項目を編集する請求項１に記載の紙葉類処理システム。
【請求項１５】
前記出力部が出力する前記情報項目を設定するよう構成された設定部をさらに備えている請求項１１〜１４のいずれか１項に記載の紙葉類処理システム。
【請求項１６】
前記出力部は、当該出力部に接続された外部記憶媒体に、前記情報項目を出力する請求項１に記載の紙葉類処理システム。
【請求項１７】
前記編集部は、前記出力部に接続された前記外部記憶媒体から、前記所定の条件の情報を受ける請求項１６に記載の紙葉類処理システム。
【請求項１８】
前記出力部は、通信線を介して当該出力部に接続された外部端末に、前記情報項目を出力する請求項１に記載の紙葉類処理システム。
【請求項１９】
前記編集部は、前記通信線を介して前記出力部に接続された前記外部端末から、前記所定の条件の情報を受ける請求項１８に記載の紙葉類処理システム。
【請求項２０】
前記所定の条件に合致する前記情報項目を記憶しているか否かを表示するよう構成された表示部をさらに備えている請求項１に記載の紙葉類処理システム。
【請求項２１】
前記記憶部は、前記情報項目が出力済みであることを記憶する請求項１に記載の紙葉類処理システム。
【請求項２２】
紙葉類処理装置に接続される紙葉類管理装置であって、
前記紙葉類処理装置が行った処理に関係する少なくとも１の情報項目を記憶するよう構成された記憶部と、
前記記憶部が記憶している前記情報項目を、所定の条件に基づいて編集するよう構成された編集部と、
前記編集部により編集された前記情報項目を、装置外部へ出力するよう構成された出力部と、を備えている紙葉類管理装置。
【請求項２３】
紙葉類の処理を行うステップと、
前記処理に関係する情報項目を記憶手段に記憶するステップと、
前記記憶手段に記憶している前記情報項目を、所定の条件に基づいて編集するステップと、
編集された前記情報項目を、前記記憶手段の外部へ出力するステップと、を備えている紙葉類処理方法。
【発明の詳細な説明】
【技術分野】
【０００１】
ここに開示する技術は、紙葉類処理システム、紙葉類管理装置、及び紙葉類処理方法に関する。
【背景技術】
【０００２】
特許文献１には、紙幣、小切手、手形、商品券等の紙葉類に関するデータを管理するシステムが記載されている。この管理システムは、例えば金融機関等に設置されるＡＴＭ（Automated Teller Machine）といった紙葉類処理装置を備える。紙葉類処理装置は、紙葉類の処理と共に、紙葉類に記録されている特定データ（例えば記番号）を読み取る。特許文献１に記載されている紙葉類処理装置は、読み取った記番号と、紙葉類の処理を行った顧客のＩＤデータとを対応させて記憶する。紙葉類の処理を行った後、記憶している情報を参照することにより、所定の記番号を有する紙葉類の処理を行った顧客を特定することが可能になる。
【先行技術文献】
【特許文献】
【０００３】
【特許文献１】特開平１１−３２８４９３号公報
【発明の概要】
【発明が解決しようとする課題】
【０００４】
紙葉類処理システム又は紙葉類処理装置において行った処理に関する情報を、そのシステムや装置の外部において利用したいという要求がある。従来は、紙葉類処理システムや紙葉類処理装置において処理を行った全ての情報を、例えば、ＵＳＢ（Universal Serial Bus）フラッシュドライブに出力したり、通信線を介して外部端末に出力したりしていた。
【０００５】
しかしながら、顧客によっては、紙葉類処理システムや紙葉類処理装置において行った処理の全ての情報は不要で、例えば特定の紙葉類の情報のみを必要とする場合がある。この場合、全ての情報を外部へ出力することは、不要な情報を外部へ出力することになる。
【０００６】
ここに開示する技術は、外部へ出力する情報を編集可能な、紙葉類処理システム、紙葉類処理装置、及び紙葉類処理方法を提供することを目的とする。
【課題を解決するための手段】
【０００７】
具体的に、ここに開示する紙葉類処理システムは、紙葉類の処理を行うよう構成された処理部と、前記処理部が行った処理に関係する少なくとも１の情報項目を記憶するよう構成された記憶部と、前記記憶部が記憶している前記情報項目を、所定の条件に基づいて編集するよう構成された編集部と、前記編集部により編集された前記情報項目を外部へ出力するよう構成された出力部と、を備えている。
【０００８】
この構成によると、紙葉類処理システムは、紙葉類の処理を実行する。紙葉類は、紙幣、小切手、手形及び商品券等を含む。但し、紙葉類は、これらに限定されない。紙葉類の処理には、各種の処理が含まれる。紙葉類が紙幣であれば、紙幣の計数処理や、紙幣を分類する整理処理等が例示される。但し、紙葉類の処理は、これらに限定されない。
【０００９】
紙葉類処理システムはまた、紙葉類の処理に関係する少なくとも１の情報項目を記憶する。情報項目の具体例は後述する。
【００１０】
編集部は、記憶部が記憶している情報項目を、所定の条件に基づいて編集する。出力部は、編集された情報項目を外部へ出力する。出力部は、編集後の情報項目を出力するため、必要な情報を外部に出力しかつ、不必要な情報を外部に出力しないことが可能になる。
【００１１】
尚、ここでいう「外部へ出力する」ことには、例えば表示装置に紙葉類の情報項目を表示することは含まない。情報項目を外部へ出力することは、出力によって、当該情報項目を、システムの外部の記憶媒体に記憶することが可能になることを意味する。
【００１２】
前記編集部は、前記所定の条件に合致する前記情報項目を、前記出力部が出力するように、前記情報項目を編集する、としてもよい。所定の条件を適切に定めることによって、必要な情報を、外部に出力することが可能になる。
【００１３】
また、前記編集部は、前記所定の条件に合致しない前記情報項目を、前記所定の条件に合致する前記情報項目とは別に、前記出力部が出力するように、前記情報項目を編集する、としてもよい。
【００１４】
前記紙葉類処理システムは、前記紙葉類の識別を行うよう構成された識別部をさらに備え、前記所定の条件は、前記識別部の識別結果に基づく条件である、としてもよい。
【００１５】
具体的に、前記識別部は、前記紙葉類の記番号を識別し、前記所定の条件は、前記紙葉類の記番号が特定の記番号であること、であり、前記編集部は、前記特定の記番号を有する前記紙葉類の前記情報項目を前記出力部が出力するように、前記情報項目を編集する、としてもよい。
【００１６】
つまり、出力部は、記憶部が情報項目を記憶している紙葉類の内、特定の記番号の紙葉類の情報項目を外部へ出力する、としてもよい。
【００１７】
また、前記識別部は、前記紙葉類の正損を識別し、前記所定の条件は、前記紙葉類が損券であること、であり、前記編集部は、前記損券の前記情報項目を前記出力部が出力するように、前記情報項目を編集する、としてもよい。
【００１８】
つまり、出力部は、記憶部が情報項目を記憶している紙葉類の内、損券の情報項目を外部へ出力する、としてもよい。
【００１９】
さらに、前記識別部は、前記紙葉類の真偽を識別し、前記所定の条件は、前記紙葉類が偽券であること、であり、前記編集部は、前記偽券の前記情報項目を前記出力部が出力するように、前記情報項目を編集する、としてもよい。
【００２０】
つまり、出力部は、記憶部が情報項目を記憶している紙葉類の内、偽券の情報項目を外部へ出力する、としてもよい。
【００２１】
前記識別部は、前記紙葉類の汚損状態を識別し、前記所定の条件は、前記紙葉類が特定の汚損状態であること、であり、前記編集部は、前記特定の汚損状態である前記紙葉類の前記情報項目を前記出力部が出力するように、前記情報項目を編集する、としてもよい。
【００２２】
ここで、紙葉類の汚損状態とは、識別部によって識別可能な状態であり、具体的には汚損の程度や、汚損の内容（例えば、紙葉類の折れや、落書きや、テープの貼付等）を意味する。前記の構成によって、例えば、記憶部が情報項目を記憶している紙葉類の内、汚損の程度が所定以上である紙葉類の情報項目を出力する、といったことが可能になる。
【００２３】
所定の条件は、識別部の識別結果に基づく条件に限らない。前記所定の条件は、処理を実行した日時に関係する条件であり、前記編集部は、特定の日時に処理をした前記紙葉類の前記情報項目を前記出力部が出力するように、前記情報項目を編集する、としてもよい。
【００２４】
これにより、記憶部が情報項目を記憶している紙葉類の内、例えば、特定の日時以前に処理をした紙葉類の情報項目を出力する、といったことが可能になる。また、例えば、午前中に処理をした紙葉類の情報項目を出力する、といったことが可能になる。
【００２５】
前記紙葉類処理システムは、前記所定の条件を設定するよう構成された設定部をさらに備えている、としてもよい。ユーザーは、設定部を通じて所定の条件を任意に設定することができる。それによって、必要な情報項目を、管理装置の外部に出力させることができる。
【００２６】
以上の構成は記憶している情報項目の内、どの紙葉類の情報項目を出力するか、に関係している。以下の構成は、どの情報項目を出力するか、に関係する。
【００２７】
前記編集部は、前記紙葉類の汚損に関係する情報を前記出力部が出力するように、前記情報項目を編集する、としてもよい。
【００２８】
前記編集部は、処理を実行した日時の情報を前記出力部が出力するように、前記情報項目を編集する、としてもよい。
【００２９】
前記編集部は、前記紙葉類の処理を行った店舗の情報を前記出力部が出力するように、前記情報項目を編集する、としてもよい。
【００３０】
前記編集部は、前記紙葉類の処理を行った前記処理部の情報を前記出力部が出力するように、前記情報項目を編集する、としてもよい。
【００３１】
前記紙葉類処理システムは、前記出力部が出力する前記情報項目を設定するよう構成された設定部をさらに備えている、としてもよい。ユーザーは、設定部を通じて設定を行うことにより、必要な情報項目を外部に出力させることが可能になる。
【００３２】
前記出力部は、当該出力部に接続された外部記憶媒体に、前記情報項目を出力する、としてもよい。
【００３３】
ここで、外部記憶媒体は、出力部に着脱可能に接続されると共に、単体でデータの読み書きが可能な装置としてもよい。具体的に外部記憶媒体は、例えばフラッシュメモリを利用した、ＵＳＢフラッシュドライブ（つまり、ＵＳＢメモリ）、ソリッドステートドライブ（Solid State Drive：ＳＳＤ）、又は、ＳＤカード等のメモリカードとしてもよい。また、外部記憶装置は、磁気ディスクを利用したハードディスクドライブ（Hard Disk Drive：ＨＤＤ）、としてもよい。但し、外部記憶媒体は、これらの装置に限定されない。外部記憶媒体は、リーダライタよってデータの読み書きが可能になる光ディスクであってもよい。
【００３４】
出力部が、外部記憶媒体に情報項目を出力することによって、ユーザーは、必要な情報を、外部記憶媒体と共に、紙葉類処理システムの外に持ち出すことが可能になる。
【００３５】
前記編集部は、前記出力部に接続された前記外部記憶媒体から、前記所定の条件の情報を受ける、としてもよい。
【００３６】
この構成では、情報項目の出力に関係する所定の条件の情報を、外部記憶媒体に予め記憶させておく。ユーザーが外部記憶媒体を出力部に接続することによって、所定の条件の情報が紙葉類処理システム側に読み込まれる。編集部は、読み込んだ所定の条件の情報に基づいて、出力部が出力する情報項目を編集する。出力部は、編集された情報項目を出力する。外部記憶媒体は、情報項目を記憶する。この構成では、所定の条件を、容易に変更及び修正することが可能になる。
【００３７】
前記出力部は、通信線を介して当該出力部に接続された外部端末に、前記情報項目を出力する、としてもよい。
【００３８】
ここで、外部端末は、例えばパーソナルコンピュータや、タブレット端末としてもよい。また、通信線は、無線及び有線のいずれであってもよい。通信線は、紙葉類処理システムと外部端末とを一対一で接続する線に限らず、ネットワークを構成していてもよい。通信線は、例えば一施設内に敷設されるＬＡＮ（Local Area Network）としてもよい。また、通信線は、インターネットとしてもよい。さらに、通信線は、ＬＡＮとインターネットとの組み合わせとしてもよい。
【００３９】
前記の構成では、外部端末が、出力部から出力された情報項目を記憶する。このことによって、必要な情報を、紙葉類処理システムの外部において利用することが可能になる。
【００４０】
前記編集部は、前記通信線を介して前記出力部に接続された前記外部端末から、前記所定の条件の情報を受ける、としてもよい。
【００４１】
この構成では、外部端末において、所定の条件を設定しておく。外部端末を出力部に接続することによって、所定の条件の情報が、通信線を介して外部端末から紙葉類処理システム側に送られる。出力部は、受信した所定の条件の情報に基づいて編集した情報項目を、外部端末に出力する。この構成も、所定の条件を、容易に変更及び修正することが可能になる。
【００４２】
前記紙葉類処理システムは、前記所定の条件に合致する前記情報項目を記憶しているか否かを表示するよう構成された表示部をさらに備えている、としてもよい。
【００４３】
情報項目の出力は、定期的に（例えば、毎日１回）行えばよいが、所定の条件に合致する情報項目、つまり出力部が出力をすべき情報項目を、記憶部が記憶していないときには、出力はできない。所定の条件に合致する情報項目を記憶しているか、記憶していないかを、表示部に表示をすれば、ユーザーは、表示部の表示を見るだけで、記憶していないことがわかる。ユーザーは、情報項目を出力する操作を、行わないで済む。これにより、ユーザーの利便性が高まる。一方、ユーザーは、表示部の表示内容を見れば、所定の条件に合致する情報項目を、記憶部が記憶していることがわかる。ユーザーが、情報項目を出力する操作を行うことによって、必要な情報項目を、漏れなく外部へ出力させることができる。
【００４４】
前記記憶部は、前記情報項目が出力済みであることを記憶する、としてもよい。
【００４５】
こうすることで、出力が必要な情報項目と、出力済みであるため出力が不要な情報項目とを区別することが可能になる。同じ情報項目を繰り返し出力してしまうことが回避される。
【００４６】
ここに開示する紙葉類管理装置は、紙葉類処理装置に接続される装置である。この紙葉類管理装置は、前記紙葉類処理装置が行った処理に関係する少なくとも１の情報項目を記憶するよう構成された記憶部と、前記記憶部が記憶している前記情報項目を、所定の条件に基づいて編集するよう構成された編集部と、前記編集部により編集された前記情報項目を、装置外部へ出力するよう構成された出力部と、を備えている。
【００４７】
この紙葉類管理装置は、必要な情報項目を、装置の外部へ出力することが可能になる。
【００４８】
ここに開示する紙葉類処理方法は、紙葉類の処理を行うステップと、前記処理に関係する情報項目を記憶手段に記憶するステップと、前記記憶手段に記憶している前記情報項目に基づいて、所定の条件に従い前記記憶手段の外部へ出力する情報項目を編集するステップと、編集された前記情報項目を、前記記憶手段の外部へ出力するステップと、を備えている。
【００４９】
この紙葉類処理方法によって、必要な情報項目を、記憶手段の外部へ出力することが可能になる。
【発明の効果】
【００５０】
以上説明したように、ここに開示する技術によると、必要な情報項目を外部へ出力することが可能になる。
【図面の簡単な説明】
【００５１】
【図１】図１は、紙葉類処理システムの全体構成を示す概念図である。
【図２】図２は、紙葉類処理システムの構成を示すブロック図である。
【図３】図３は、データベースに記憶されるデータ構造を例示する図である。
【図４】図４は、紙葉類処理システムにおける情報の出力処理の手順を示すフローチャートである。
【図５】図５は、図２とは異なる構成の、紙葉類処理システムの構成を示すブロック図である。
【発明を実施するための形態】
【００５２】
以下、紙葉類処理システムの実施形態を、図面を参照しながら説明する。以下においては、紙葉類処理システムの１つとしての、紙幣処理システムを例に、ここに開示する技術を説明する。尚、以下の説明は、紙葉類処理システム、紙葉類処理装置、及び紙葉類処理方法の一例である。
【００５３】
（システムの全体構成）
図１は、紙幣処理システムの全体構成を示す概念図である。図２は、紙幣処理システムの構成を示すブロック図である。紙幣処理システム１は、銀行等の金融機関の店舗に設けられるシステムである。紙幣処理システム１は、紙幣処理装置２と、紙幣処理装置２に接続された管理装置３と、を備えている。
【００５４】
紙幣処理装置２は、図１の例では、投入された紙幣の識別を行うと共に、識別結果に基づいて紙幣の計数及び分類を行うよう構成された装置（いわゆる、紙幣整理機）である。尚、紙幣処理装置２は、紙幣整理機に限らない。紙幣処理装置２は、紙幣計数機、紙幣入出金機、紙幣入金機、及び、紙幣出金機等、紙幣の識別を行う装置であればよい。紙幣処理装置２は、図２に示すように、紙幣の識別を行うよう構成された識別部２１と、紙幣を一枚ずつ搬送するよう構成された搬送部２２と、ユーザーが操作を行うよう構成された操作部２３と、各部２１〜２３の制御を行うよう構成された制御部２４と、を有している。
【００５５】
識別部２１は、詳細な図示は省略するが、画像センサ、赤外線センサ、紫外線センサ、及び磁気センサ等の紙幣の特徴を取得する各種のセンサを有している。識別部２１は、これらのセンサによって紙幣の特徴を取得する。識別部２１は、取得した紙幣の特徴に基づいて、紙幣の金種、真偽、正損、記番号、及び汚損状態を識別する。
【００５６】
管理装置３は、操作部３１、表示部３２、通信部３３、接続部３４、記憶部３５、及び制御部３６を有している。操作部３１は、ユーザーが各種の操作を行うインターフェースである。操作部３１は、キーボードやマウス等の入力デバイスによって構成される。表示部３２は、各種の情報等を表示する。表示部３２は、液晶ディスプレイ等の表示デバイスによって構成される。通信部３３は、有線又は無線の通信線６（例えばＬＡＮや、インターネット）を介して、外部端末４との間で情報の授受を行う。接続部３４は、後述する外部記憶媒体５が接続される部分である。記憶部３５は、例えば図３に示すように、紙幣処理装置２において行った処理に関する情報を記憶する。記憶部３５が記憶をする情報の詳細は、後述する。記憶部３５は、フラッシュメモリ、ＨＤＤ又はＳＳＤ等の記憶媒体によって構成される。制御部３６は、これら各部３１〜３５の制御を行う。管理装置３は、紙幣処理装置２に対し、例えばＵＳＢ、及び／又は、ＲＳ−２３２を介して接続されたパーソナルコンピュータ（Personal Computer：ＰＣ）によって構成することが可能である。
【００５７】
外部端末４は、詳細な図示は省略するが、管理装置３と、ほぼ同様の構成を有している。外部端末４は、通信線６を介して管理装置３に接続されかつ、管理装置３との間で情報の授受が可能な、ＰＣや、タブレット端末によって構成することが可能である。
【００５８】
外部記憶媒体５は、管理装置３の接続部３４に接続される接続部５１と、制御部５２と、情報を記憶する記憶部５３とを有している。外部記憶媒体５は、管理装置３に接続されることによって、管理装置３との間で情報の授受が可能に構成される。外部記憶媒体５は、例えば、管理装置３のＵＳＢコネクタに差し込み可能なＵＳＢフラッシュドライブによって構成することが可能である。但し、外部記憶媒体５は、ＵＳＢフラッシュドライブに限定されない。外部記憶媒体５は、メモリカード、ＳＳＤ、又はＨＤＤ等であってもよい。尚、図２に示す例では、外部記憶媒体５は、接続部５１及び制御部５２を有しているが、外部記憶媒体５は、リーダライタよってデータの読み書きが可能になる光ディスクとすることも可能である。
【００５９】
（紙幣の処理手順）
次に、前記構成の紙幣処理システム１における紙幣の処理手順を、図４のフローチャートを参照しながら説明する。先ず、管理装置３の操作部３１を操作することにより、紙幣の処理要求があったか否かを判定する（ステップＳ３１）。処理要求があったときにはステップＳ３２に移行をする。処理要求がなかったときには、ステップＳ３４に移行する。
【００６０】
ステップＳ３２で、管理装置３は、紙幣処理装置２に対し、紙幣の処理の開始指令を出力する。紙幣処理装置２は、処理の開始指令を受けたか否かを判定し（ステップＳ２１）、指令を受けたときにはステップＳ２２に移行する。一方、指令を受けていないときにはステップＳ２１を繰り返す。
【００６１】
ステップＳ２２で、紙幣処理装置２は、投入された紙幣を、搬送部２２によって一枚ずつ搬送すると共に、識別部２１によって紙幣の識別を行う。紙幣処理装置２は、この識別によって、例えば、紙幣の記番号、金種、正損情報、真偽情報、汚損の状態（例えば汚損の場所、汚損のレベル、及び汚損の内容等）を取得する。搬送部２２は、識別結果に基づいて紙幣の搬送先を切り替える。こうして、紙幣の計数及び分類が行われる。
【００６２】
続くステップＳ２３では、処理が終了したか否かを判定し、処理が終了していないとき、つまり、全ての紙幣の識別及び分類が終わっていないときには、ステップＳ２２を継続する。一方、処理が終了したときには、ステップＳ２４に移行する。
【００６３】
ステップＳ２４で、紙幣処理装置２は、ステップＳ２２で取得した情報を、管理装置３に送る。管理装置３は、ステップＳ３３で情報を受けて、これを記憶部３５に記憶する。管理装置３は、記憶部３５に、紙幣処理装置２で処理を行った全ての紙幣の情報項目を記憶する。
【００６４】
図３は、記憶部３５に記憶される情報の構造を例示している。管理装置３は、記憶部３５に、通し番号に対応付けて、処理に関係する各情報項目を記憶する。通し番号は、この紙幣処理装置２が処理を行った紙幣に対応する。図３の例において情報項目は、記番号、金種、正損、真偽、リジェクト情報（つまり、当該紙幣をリジェクトしたか否か）、汚損の場所、汚損のレベル、汚損の内容、処理を行った日、処理を行った時刻、処理を行った紙幣処理装置を特定する情報（例えば紙幣処理装置の号機番号）、処理を行った金融機関の店舗を特定する情報（例えば店舗番号）である。記憶部３５に記憶する情報項目は、図３に例示する情報項目に限定されない。また、図３に例示する情報項目が全て、記憶部３５に記憶されるとは限らない。
【００６５】
ここで、「汚損場所」は、紙幣の表面及び裏面のそれぞれについて、予め複数の領域に区分しておき、それら複数の領域の内の何処の領域が汚損しているかを記憶するようにしてもよい。図３の例は、紙幣の表面及び裏面のそれぞれについて、右、左及び中央の３つの領域（合計で６つの領域）に区分している。領域の区分数は、特定の数に限定されない。また、「汚損レベル」は、例えば汚損の程度を、複数の段階に区分しておき、複数の段落のどれに該当するか記憶してもよい。図３の例は、汚損レベルを、レベル１〜５の５段階に区分している。汚損レベルの段階数は、特定の数に限定されない。また、「汚損内容」は、複数の候補（例えば、折れ、落書き、しわ、疲労、テープ等の貼付、等）を、予め設定しておき、それらの候補の内のどれに該当するかを記憶すればよい。
【００６６】
図４のフローに戻り、ステップＳ３３で情報を記憶した後のステップＳ３４、又は、ステップＳ３１から移行をしたステップＳ３４で、管理装置３は、操作部３１の操作によって情報項目の出力要求があったか否かを判定する。出力要求がなかったときにはステップＳ３１に戻る。紙幣処理システム１は待機状態となる。一方、出力要求があったときにはステップＳ３５に移行する。紙幣の情報項目の出力先は、管理装置３に接続された、外部端末４又は外部記憶媒体５である。
【００６７】
ステップＳ３５で、管理装置３の制御部３６は、記憶部３５に記憶している情報項目に基づいて、管理装置３の外部に出力する情報項目を編集する。つまり、管理装置３は、予め設定されている所定の条件に従って、記憶部３５に記憶している紙幣の内、どの紙幣の、どの情報項目を出力すべきかを決定する。これは、図３に示すように、横の「行」と、縦の「列」とからなる記憶部３５の情報記憶構造において、出力対象となる「行」（つまり、どの紙幣）を決定すると共に、出力をする「列」（つまり、どの情報項目）を決定することである。そうして、決定した「行」における、決定した「列」の情報を抽出することが、出力部が出力する情報項目を編集することに相当する。
【００６８】
先ず、記憶部３５に記憶している紙幣から、出力対象の紙幣を特定する条件について説明する。ここでは、所定の条件に合致する紙幣を、出力対象の紙幣としている。具体的に、所定の条件は、紙幣の記番号が特定の記番号であること、としてもよい。特定の記番号は、記番号の全桁を指定することによって指定してもよい。また、これとは異なり、アスタリスク「＊」やクエスチョンマーク「？」といったワイルドカードを使用して、記番号の一部の桁の文字又は数字を指定することにより、紙幣の記番号の特定を行ってもよい。
【００６９】
次に、出力する情報項目を決定する条件としては、例えば、記憶部３５に記憶している全ての情報項目を出力する、としてもよい。また、記憶部３５に記憶している全ての情報項目の中から選択した情報項目を出力する、としてもよい。
【００７０】
ここで、管理装置３は、所定の条件を、情報項目の出力先である外部端末４又は外部記憶媒体５から取得する。つまり、外部端末４において、所定の条件を設定しておき、外部端末４が、通信線６を介して管理装置３に、所定の条件の情報を送る。また、外部記憶媒体５の記憶部５３に、所定の条件を予め記憶しておき、外部記憶媒体５を管理装置３に接続したときに、外部記憶媒体５から管理装置３に、所定の条件の情報を送る。また、外部端末４又は外部記憶媒体５から取得するのではなく、所定の条件を、管理装置３において予め設定し、管理装置３に記憶しておいてもよい。所定の条件の設定は、管理装置３の表示部３２に表示される情報を見ながら、ユーザーが操作部３１を操作することによって行うことができる。
【００７１】
図４のフローに戻り、ステップＳ３６では、編集をした情報項目を、外部端末４又は外部記憶媒体５に出力する。外部端末４又は外部記憶媒体５は、情報項目を受けて、それを記憶する。情報項目を管理装置３の外部へ出力することは、情報項目を、管理装置３の外部の記憶媒体にコピーすることである。情報項目の出力が完了すれば、フローはリターンする。
【００７２】
こうして、紙幣処理装置２において行った処理に関する情報を、管理装置３から、外部端末４又は外部記憶媒体５に出力するときに、必要な情報を選択した上で、出力することが可能になる。これにより、必要な情報を、外部端末４又は外部記憶媒体５に出力しかつ、不必要な情報を、外部端末４又は外部記憶媒体５に出力しないことが可能になる。
【００７３】
この構成の紙葉類処理システムによると、例えば、次のような運用が実現する。
【００７４】
所定の条件として、出力対象の紙幣を、特定の記番号を有する紙幣とし、出力する情報項目を、汚損場所、汚損レベル、及び、汚損内容、つまり汚損情報とする。そうすると、該当する記番号の紙幣を、紙幣処理装置２が処理をする度に、当該紙幣の汚損情報が外部端末４又は外部記憶媒体５に出力される。これにより、特定の紙幣の流通の状態（流通期間、流通経路、及び紙幣の使用頻度等）が把握されると共に、紙幣の汚損状態の変化を追跡することが可能になる。これらの情報に基づいて、紙幣の流通の状態、及び／又は、流通している期間と、汚損状態の変化との相関を分析することも可能になる。こうした分析結果から、紙幣が損券になるまでの期間を把握することができる。
【００７５】
ここで、出力対象の紙幣は、記番号によって特定することに限らない。例えば、紙幣が損券であることを、所定の条件としてもよい。また、紙幣が偽券であることを、所定の条件としてもよい。また、例えば、所定レベル以上の汚損レベルの紙幣であることを、所定の条件とすることも可能である。
【００７６】
所定の条件は、前述のように、識別部２１の識別結果に基づく条件に限らない。例えば、処理日や、処理時刻に基づく条件としてもよい。具体例として、特定の日時以前に処理をした紙幣を、出力対象の紙幣としてもよい。また、午前中に処理をした紙幣を、出力対象の紙幣としてもよい。
【００７７】
また、出力する情報項目も汚損情報に限らない。汚損情報と共に、又は、汚損情報に代えて、紙幣の処理を行った処理日、及び／又は、処理時刻を、情報項目として出力してもよい。また、汚損情報と共に、又は、汚損情報に代えて、紙幣の処理を行った紙幣処理装置の情報を、情報項目として出力してもよい。さらに、汚損情報と共に、又は、汚損情報に代えて、紙幣の処理を行った店舗の情報を、情報項目として出力してもよい。出力する情報項目は、任意に設定することが可能である。また、図３に示す情報項目以外の情報項目を、記憶部３５に記憶すると共に、管理装置３の外部に出力してもよい。
【００７８】
管理装置３は、外部端末４又は外部記憶媒体５に情報項目を出力する際に、この紙幣処理システム１を運用している国の言語に翻訳をした上で、情報項目を出力するように構成してもよい。翻訳言語は、管理装置３の操作部３１をユーザーが操作することによって、予め設定された言語の中から、任意に選択可能にしてもよい。
【００７９】
管理装置３から外部への情報の出力は、定期的に（例えば毎日の営業終了後に、一回）行うようにしてもよい。紙幣処理装置２が、情報項目を出力すべき紙幣の処理を行っていないときには、管理装置３から外部へ出力すべき情報項目がそもそも存在しない。管理装置３は、表示部３２に、出力すべき紙幣の情報項目を記憶部３５が記憶しているか否かを、表示するようにしてもよい。ユーザーは、表示部３２の表示内容を見ることによって、管理装置３から外部への情報の出力を行う必要があるか、出力を行う必要がないかを判断することが可能になる。出力を行う必要があれば、外部端末４又は外部記憶媒体５を管理装置３に接続をして、所定の操作を行うことにより、管理装置３から、外部端末４又は外部記憶媒体５に情報項目を出力する。一方、出力を行う必要がなければ、外部端末４又は外部記憶媒体５を管理装置３に接続したり、所定の操作を行ったりすることを省略可能になる。これによって、ユーザーの利便性が向上する。
【００８０】
また、図３に例示するように、管理装置３は、通し番号に対応付けて、当該紙幣の情報項目を出力済みであること（つまり、出力済みのフラグ）を記憶するようにしてもよい。これにより、情報項目を出力済みの紙幣と、情報項目を未出力の紙幣と、を区別することが可能になる。前述した表示部３２の表示は、出力済みのフラグを考慮して、出力すべき情報項目であって、未出力の情報項目を記憶部３５に記憶している否かを表示するようにしてもよい。
【００８１】
出力済みのフラグを記憶部３５に記憶すれば、管理装置３は、所定の期間が経過すれば、出力済みの情報を記憶部３５から自動的に消去するように構成することが可能になる。こうすることで、記憶部３５の記憶容量が節約される。
【００８２】
所定の条件に基づいて、当該条件に合致する情報項目を、管理装置３の外部に出力する一方で、所定の条件に合致しない情報項目は、所定の条件に合致する情報項目とは別に、管理装置３の外部に出力するようにしてもよい。
【００８３】
図１及び図２に示す紙幣処理システム１は、紙幣処理装置２と管理装置３とを別体としている。これとは異なり、紙幣処理装置２と管理装置３とを一体に構成してもよい。図５は、紙幣処理システム１０の変形例を示している。このシステム１０の紙幣処理装置２０は、識別部２１、搬送部２２、操作部２３、制御部２４の他に、表示部２５、通信部２６、接続部２７及び記憶部２８を有している。表示部２５、通信部２６、接続部２７及び記憶部２８はそれぞれ、前述した管理装置３の表示部３２、通信部３３、接続部３４及び記憶部３５と同様の構成とすればよい。
【００８４】
この紙幣処理システム１０では、紙幣処理装置２０に対し、通信線６を介して、外部端末４が接続される。また、紙幣処理装置２０の接続部２７に、外部記憶媒体５が接続される。図５に示す構成の紙幣処理システム１０において、所定の条件に従って編集をした情報項目を出力する手順は、図４に示すフローと実質的に同じである。そのため、その説明は省略する。
【００８５】
（まとめ）
以上説明したように、この実施形態の紙葉類処理システム（つまり、紙幣処理システム１）は、紙葉類（つまり、紙幣）の処理を実行すると共に、実行した処理に関係する少なくとも１の情報項目を送るよう構成された紙葉類処理装置（つまり、紙幣処理装置２）と、紙幣処理装置２に接続されかつ、紙幣処理装置２から送られた情報項目を受けるよう構成された管理装置３と、を備える。
【００８６】
紙幣処理装置２は、処理部（つまり、識別部２１及び搬送部２２）を有している。
【００８７】
管理装置３は、処理部が行った処理に関係する少なくとも１の情報項目を記憶するよう構成された記憶部３５と、記憶部３５が記憶している情報項目を、所定の条件に基づいて編集する（図４のステップＳ３５）よう構成された編集部（つまり、制御部３６）と、編集部により編集された情報項目を外部へ出力する（ステップＳ３６）よう構成された出力部（つまり、通信部３３、接続部３４）とを有している。
【００８８】
または、紙幣処理システム１０は、紙幣処理装置２０を備え、紙幣処理装置２０は、処理部（つまり、識別部２１及び搬送部２２）と、処理部が行った処理に関係する少なくとも１の情報項目を記憶するよう構成された記憶部２８と、記憶部２８が記憶している情報項目を、所定の条件に基づいて編集するよう構成された編集部（つまり、制御部２４）と、編集部により編集された情報項目を外部へ出力するよう構成された出力部（つまり、通信部２６、接続部２７）とを有している。
【００８９】
これにより、出力部は、必要な情報を、紙幣処理システム１、１０の外部へ出力することが可能になる。
【００９０】
紙幣処理システム１、１０は、所定の条件を設定する操作を行うよう構成された操作部（つまり、設定部）３１、２３を有している。ユーザーは、操作部３１、２３を操作することによって、所望の情報項目を、紙幣処理システム１、１０の外部へ出力させることが可能になる。尚、設定部は、ユーザーの操作によって所定の条件を設定することに限定されない。
【００９１】
紙幣処理システム１、１０は、出力する情報項目を設定する操作を行うよう構成された操作部（つまり、設定部）３１、２３を有している。ユーザーは、操作部３１、２３を操作することによって、所望の情報項目を、紙幣処理システム１、１０の外部へ出力させることが可能になる。尚、設定部は、ユーザーの操作によって出力する情報項目を設定することに限定されない。
【００９２】
紙幣処理システム１、１０は、接続部３４、２７に接続された外部記憶媒体５に、情報項目を出力する。これにより、ユーザーは、必要な情報を、外部記憶媒体５と共に、紙幣処理システム１、１０の外に持ち出すことが可能になる。
【００９３】
紙幣処理システム１、１０は、接続部３４、２７に接続された外部記憶媒体５から、所定の条件の情報を受ける。こうすることで、所定の条件を、容易に変更及び修正することが可能になる。
【００９４】
紙幣処理システム１、１０は、通信線６を介して通信部３３、２６に接続された外部端末４に、情報項目を出力する。外部端末４が情報項目を記憶することによって、必要な情報を、紙幣処理システム１、１０の外部において利用することが可能になる。
【００９５】
紙幣処理システム１、１０は、通信線６を介して通信部３３、２６に接続された外部端末４から、所定の条件の情報を受ける。こうすることで、所定の条件を、容易に変更及び修正することが可能になる。
【００９６】
紙幣処理システム１、１０は、情報項目を記憶しているか否かを表示するよう構成された表示部３２、２５を有している。ユーザーは、表示部３２、２５の表示内容を見ることだけで、所定の条件に合致する情報項目、言い換えると、出力すべき情報項目を記憶していないことを知ることが可能になる。記憶していないときには、ユーザーは、情報項目を出力する操作を、行わないで済む。これにより、ユーザーの利便性が高まる。一方、ユーザーは、表示部３２、２５の表示内容を見ることによって、出力すべき情報項目を記憶していることを知ることができる。ユーザーが情報項目を出力する操作を行うことによって、必要な情報項目を、漏れなく、紙幣処理システム１、１０の外部へ出力させることができる。
【００９７】
記憶部３５、２８が、情報項目が出力済みであることを記憶することで、出力が必要な情報と、出力済みであるため出力が不要な情報とを区別することが可能になる。同じ情報を繰り返し出力してしまうことが回避される。
【００９８】
ここに開示する紙葉類管理装置（つまり、紙幣管理装置３）は、紙葉類処理装置（つまり、紙幣処理装置２）に接続される装置であって、紙幣処理装置２が行った処理に関係する少なくとも１の情報項目を記憶するよう構成された記憶部３５と、記憶部３５が記憶している情報項目を、所定の条件に基づいて編集するよう構成された編集部（つまり、制御部３６）と、編集部により編集された情報項目を、装置外部へ出力するよう構成された出力部（つまり、通信部３３、接続部３４）と、を備えている。この紙幣管理装置３は、必要な情報を、装置３の外部へ出力することが可能になる。
【００９９】
ここに開示する紙葉類処理方法（つまり、紙幣処理方法）は、紙葉類（つまり、紙幣）の処理を行うステップ（Ｓ２２）と、処理に関係する情報項目を記憶手段（つまり、記憶部２８、記憶部３５）に記憶するステップ（Ｓ３３）と、記憶手段に記憶している情報項目に基づいて、所定の条件に従って、記憶手段の外部へ出力する情報項目を編集するステップ（Ｓ３５）と、編集された情報項目を、記憶手段の外部へ出力するステップ（Ｓ３６）と、を備えている。この紙幣処理方法によって、必要な情報を、記憶手段の外部へ出力することが可能になる。
【０１００】
尚、ここに開示する紙葉類処理システム、紙葉類管理装置、及び紙葉類処理方法は、紙幣の処理を行う処理システム、管理装置、及び処理方法に限定されない。対象としての紙葉類には、小切手、手形及び商品券等が含まれる。
【０１０１】
ここに開示した紙葉類処理システム、紙葉類管理装置、及び紙葉類処理方法では、記憶手段（つまり、記憶部３５又は記憶部２８）に記憶をしている全ての情報項目の中から、条件に合致する情報項目を選択することによって、必要な情報項目を、外部へ出力するようにしている。これとは異なり、管理装置又は紙葉類処理装置は、外部へ出力すべき情報項目のみを、記憶手段に記憶してもよい。この構成では、管理装置又は紙葉類処理装置は、記憶手段に記憶している全ての情報項目を外部へ出力すればよい。こうすることでも、必要な情報項目を、外部へ出力することが実現する。
【０１０２】
また、管理装置又は紙葉類処理装置は、全ての情報項目を、記憶手段に記憶すると共に、管理装置又は紙葉類処理装置は、記憶手段に記憶している全ての情報項目を外部へ出力してもよい。この構成では、外部端末４、又は、外部記憶媒体５を接続した装置（例えばＰＣ等）において、適宜のプログラムによって自動的に、又は、手動で、全ての情報項目から、必要な情報項目を選択すればよい。
【符号の説明】
【０１０３】
１  紙幣処理システム（紙葉類処理システム）
１０  紙幣処理システム（紙葉類処理システム）
２  紙幣処理装置（紙葉類処理装置）
２０  紙幣処理装置（紙葉類処理装置）
２１  識別部（処理部）
２２  搬送部（処理部）
２３  操作部（設定部）
２４  制御部（編集部）
２５  表示部
２６  通信部（出力部）
２７  接続部（出力部）
２８  記憶部（記憶手段）
３  管理装置
３１  操作部（設定部）
３２  表示部
３３  通信部（出力部）
３４  接続部（出力部）
３５  記憶部（記憶手段）
３６  制御部（編集部）
４  外部端末
５  外部記憶媒体
６  通信線
【図１】
2017033070.tif 000003
【図２】
2017033070.tif 000004
【図３】
2017033070.tif 000005
【図４】
2017033070.tif 000006
【図５】
2017033070.tif 000007